(57)【要約】被術者の器官の中間層の中への注入のためのデバイスが提供されている。デバイスは、鋭利な針遠位先端に終端するサイズ遷移部分を有する針を含んでいる。デバイスは、更に、針ルーメン内でシフト可能である細長い組織セパレータを含んでいる。アクチュエータが、組織セパレータを針ルーメン内で、セパレータ遠位先端が針遠位先端より近位に固定的に位置決めされる第１の位置とセパレータ遠位先端が針遠位先端から既定の距離だけ遠位に固定的に位置決めされる第２の位置との間でシフトさせる。【選択図】図１２Ｈ
2021522035.tif 000002
【特許請求の範囲】
【請求項１】
針近位端と針遠位端の間を延びる針ルーメンを備える針であって、前記針遠位端は鋭利な針遠位先端に終端するサイズ遷移部分を含んでいる、針と、
セパレータ遠位先端を有する細長い組織セパレータであって、当該組織セパレータの少なくとも一部分は前記針ルーメン内でシフト可能である、組織セパレータと、
前記組織セパレータを前記針ルーメン内で、前記セパレータ遠位先端が前記針遠位先端より近位に固定的に位置決めされる第１の位置と前記セパレータ遠位先端が前記針遠位先端から第１の既定距離だけ遠位に固定的に位置決めされる第２の位置との間でシフトさせるように構成されたアクチュエータと、
を備えている、被術者の器官の中間層の中への注入のためのデバイス。
【請求項２】
前記セパレータ遠位先端が前記第１の位置にあるとき、前記セパレータ遠位先端は前記サイズ遷移部分の側方非被覆区分から突き出ている、請求項１に記載のデバイス。
【請求項３】
液体、ゲル、半固体、固形物、低粘度流体、高粘度流体、懸濁液、細胞懸濁液、乳濁液、溶液、ナノセラピー、マイクロスフィア、及び、インサート及びインプラント、のうちの何れか１つ又はそれ以上を注入するように構成された請求項１に記載のデバイス。
【請求項４】
前記デバイスは、シリンジと前記針ルーメンの間に流体接続可能なカニューレを更に備え、前記シリンジから注入される流体が前記カニューレ及び前記針ルーメンを介して前記針遠位先端へ直接流れることができるようにしている、請求項１に記載のデバイス。
【請求項５】
前記組織セパレータは、次の特徴、即ち、
ａ．前記組織セパレータは、前記カニューレと、前記カニューレの内側のカニューレ壁へ接続されたプローブ固定部分及び前記カニューレのカニューレ遠位端から遠位方向に延び前記セパレータ遠位先端に終端するプローブ突出部分を備える細長いプローブと、を含んでいる、
ｂ．前記組織セパレータは、前記カニューレから前記プローブ固定部分の周りの前記針ルーメンへの流体の流れを許容するように構成されている、
ｃ．前記カニューレは前記組織セパレータを沿わせて滑動させるように構成されたシールを提供されている、
ｄ．前記カニューレは前記組織セパレータを沿わせて滑動させるように構成されたシールを提供されており、前記カニューレ遠位端は前記事前設定された固定位置の各位置にて前記シール内に又は前記シールより遠位に位置決めされる、
という特徴の何れか１つ又はそれ以上を有している、請求項４に記載のデバイス。
【請求項６】
前記シリンジは前記セパレータのセパレータハブへ接続可能である、請求項４に記載のデバイス。
【請求項７】
眼の中への注入向けに適合されている請求項１に記載のデバイス。
【請求項８】
前記針より外側に提供されていて前記器官内の前記針遠位先端の第３の既定長さを越す穿通を防止するように構成されている外部ストッパ、を更に備えている請求項１に記載のデバイス。
【請求項９】
前記外部ストッパは、次の特徴、即ち、
ａ．前記外部ストッパは、前記針に沿って延びる管であって、そのストッパ遠位端を前記第３の既定距離だけ前記針遠位先端より近位に配置させている管である、
ｂ．前記外部ストッパは、前記針に沿って延びる管であって、そのストッパ遠位端を前記第３の既定距離だけ前記針遠位先端より近位に配置させている管であり、前記ストッパ遠位端は固定的に位置決めされているか又は前記針に沿って前記サイズ遷移部分より近位方向に選択的にシフト可能である、
という特徴の何れか１つ又はそれ以上を有している、請求項８に記載のデバイス。
【請求項１０】
前記アクチュエータは、当該アクチュエータを当該アクチュエータの固定位置間でシフトさせるための２つ又はそれ以上の切り替えモードの間で切り替え可能なスイッチを備えている、請求項１に記載のデバイス。
【請求項１１】
被術者の眼内の中間層領域の中へ物質又は物体を注入するための方法であって、当該方法は、
ａ．被術者の器官の中間層の中への注入のためのデバイスを提供する段階であって、当該デバイスは、
針近位端と針遠位端の間を延びる針ルーメンを備える針であって、前記針遠位端は鋭利な針遠位先端に終端するサイズ遷移部分を含んでいる、針と、
セパレータ遠位先端を有する細長い組織セパレータであって、当該組織セパレータの少なくとも一部分は前記針ルーメン内でシフト可能である、組織セパレータと、
前記組織セパレータを前記針ルーメン内で、前記セパレータ遠位先端が前記針遠位先端より近位に固定的に位置決めされる第１の位置と前記セパレータ遠位先端が前記針遠位先端から第１の既定距離だけ遠位に固定的に位置決めされる第２の位置との間でシフトさせるように構成されたアクチュエータと、
を備えている、デバイスを提供する段階と、
ｂ．前記セパレータ遠位先端を前記サイズ遷移部分の端間の第１の位置に位置決めする段階と、
ｃ．前記セパレータ遠位先端を前記針遠位先端より第１の既定距離だけ近位に位置決めする段階であって、前記セパレータ遠位先端は前記サイズ遷移部分から突き出ている、位置決めする段階と、
ｄ．前記針遠位先端を使用し、器官外表面層を前記セパレータ遠位先端と接触させるまで前記器官の外表面を当該器官の中への穿通点にて穿通する段階であって、前記第１の既定長さは前記穿通点に隣接する前記外表面層の厚さより短い、穿通する段階と、
ｅ．前記物質又は物体を前記中間層の中へ注入する段階と、
を備えている、方法。
【請求項１２】
前記アクチュエータを使用して前記組織セパレータを前記針ルーメン内で長手方向にシフトさせ、前記セパレータ遠位先端を当該セパレータ遠位先端が前記針遠位先端より第２の既定長さだけ遠位に位置づけられる最遠位位置へ位置変えさせ、それにより前記セパレータ遠位先端で以て前記外表面層を前進し前記外表面層を貫いて前記器官の前記中間層の中へ穿通し前記中間層に通路を形成する段階、を更に備えている請求項１１に記載の方法。
【請求項１３】
前記器官の標的組織部分を固着させ、前記標的組織部分の中への針穿通を方向決めするための器官ドッキングデバイスであって、
前記標的組織部分の表面になじむように構成された器官接触面及び前記接触面を通る穿通経路で針を案内するように構成されたガイドを備える器官ドッキングデバイス本体と、
当該器官ドッキングデバイスを前記標的組織部分へ定着させるように構成された定着部材と、
前記定着部材を、前記器官接触面との接触時に前記定着部材が前記標的組織部分と物理的に相互作用することが防止される退避位置と、前記針で前記既定の針穿通経路に沿って前記標的組織部分の中へ穿通する間は前記定着部材が前記組織標的部分へ定着して前記器官ドッキングデバイス本体と前記器官の間に反作用力を生成させる定着位置と、の間でシフトさせるように構成された定着用アクチュエータと、
を備える器官ドッキングデバイス、を更に備えている請求項１に記載のデバイス。
【請求項１４】
前記定着部材は、次の特質、即ち、
ａ．前記定着部材は、前記器官ドッキングデバイス本体へ接続された少なくとも１つのアンカーを備え、各アンカーは前記標的組織部分の中へ穿通するための鋭利なアンカー先端を提供されている、
ｂ．前記定着部材が前記退避位置にあるとき、各アンカー先端は前記器官接触面より近位に位置づけられ、前記定着部材が前記定着位置にあるとき、前記アンカー先端は前記標的組織部分へ定着するために前記器官接触面より遠位に位置づけられる、
ｃ．前記定着部材が前記定着位置にあるとき、前記少なくとも１つのアンカーは前記器官接触面の周りの周辺点から反対側周辺点に向いて方向決めされる、
という特質の１つ又はそれ以上を有している、請求項１３に記載のデバイス。
【請求項１５】
前記器官接触面との接触時に前記標的組織部分を押圧するように構成された組織押圧部材、を更に備えている請求項１３に記載のデバイス。
【請求項１６】
前記ガイドは前記器官ドッキングデバイスに対して傾斜を変えることができる、請求項１３に記載のデバイス。
【請求項１７】
前記定着部材は第１のアンカー及び第２のアンカーを含んでいる、請求項１３に記載のデバイス。
【請求項１８】
前記針穿通経路は前記第１のアンカーと前記第２のアンカーの間を通っている、請求項１７に記載のデバイス。
【請求項１９】
前記少なくとも１つのアンカーの各々は、前記アンカー遠位先端で終わるアンカーサイズ遷移部分と、細身のレストリクターであって、その鈍なレストリクター先端を前記アンカーサイズ遷移部分の端間に固定的に位置決めさせ前記サイズ遷移部分の側方非被覆区分から突き出させているレストリクターと、を含んでいる、請求項１７に記載のデバイス。
【請求項２０】
前記定着用アクチュエータは、少なくとも１つのアンカーを前記退避位置と前記定着位置の間でシフトさせるように構成された定着用トリガを備えている、請求項１３に記載のデバイス。
【請求項２１】
前記器官接触面は眼球の結膜組織及び／又は強膜組織になじむように構成されている、請求項１３に記載のデバイス。
【請求項２２】
前記軟組織押圧部材は眼球の結膜組織を強膜組織へ押圧するように構成されている、請求項１５に記載のデバイス。
【請求項２３】
前記ガイドは前記器官接触面に対し固定的に傾けられた細長い凹面として形成されている、請求項１３に記載のデバイス。
【請求項２４】
前記ドッキングデバイスは、前記装置の、前記ガイドに沿った既定の最大進行長さを越す遠位方向前進を防止するように構成された穿通制限要素を含んでいる、請求項１３に記載のデバイス。
【請求項２５】
前記器官ドッキングデバイス本体は、前記ガイドと前記針を取り巻く装置との間の止り嵌めを作り出すように構成された磁石を含んでいる、請求項１３に記載のデバイス。
【請求項２６】
貯留部を更に備えている請求項１に記載のデバイス。
【発明の詳細な説明】
【技術分野】
【０００１】
本発明は、眼の様な身体組織の中へ１つ又はそれ以上の物質を注入するためのデバイス及び方法に関する。
【背景技術】
【０００２】
先進諸国にあって後眼部疾患は修復不能な視覚障害の主原因である。これらの疾患には、とりわけ、加齢黄斑変性症（ＡＭＤ）、糖尿病性網膜症（ＤＲ）、及び網膜色素変性症（ＲＰ）が挙げられる。現在、世界中でＡＭＤと確認されている患者は２億人近く、ＤＲと確認されている患者は１億人を超えるものと推定される。
【０００３】
これらの疾患の現在の治療及び新たな先進的治療の開発と評価は、薬物、遺伝子療法物質、及び細胞療法物質の有効薬用量を網膜、網膜色素上皮（ＲＰＥ）、及び脈絡膜の後方部分の様な標的後部組織へ送達する場合に、組織障壁（例えば、角膜、結膜、血液房水関門、及び血液網膜関門など）が送達される薬物の後部領域へのアクセスを制限するせいで送達が困難であることによって制限されている。
【先行技術文献】
【非特許文献】
【０００４】
【非特許文献１】「レミントンの薬理科学」、米国ペンシルバニア州イーストン、マック出版、最新版（“Ｒｅｍｉｎｇｔｏｎ’ｓ，  Ｐｈａｒｍａｃｅｕｔｉｃａｌ  Ｓｃｉｅｎｃｅｓ，”  Ｍａｃｋ  Ｐｕｂｌｉｓｈｉｎｇ  Ｃｏ．，  Ｅａｓｔｏｎ，  ＰＡ，  ｌａｔｅｓｔ  ｅｄｉｔｉｏｎ）
【発明の概要】
【発明が解決しようとする課題】
【０００５】
以上より、眼の後ろ側を冒す疾患を、眼の障壁を回避する新たな有効で安全な送達戦略に基づいて治療するための新しいデバイス及び方法の必要性が今なお存在する。
【課題を解決するための手段】
【０００６】
本発明は、その態様の１つでは、被術者の器官の中間層の中への注入のためのデバイスを提供しており、デバイスは、
針近位端と針遠位端の間を延びる針ルーメンを備える針であって、前記針遠位端は鋭利な針遠位先端に終端するサイズ遷移部分を含んでいる、針と、
セパレータ遠位先端を有する細長い組織セパレータであって、当該組織セパレータの少なくとも一部分は針ルーメン内でシフト可能である、組織セパレータと、
前記組織セパレータを前記針ルーメン内で、前記セパレータ遠位先端が前記針遠位先端より近位に固定的に位置決めされる第１の位置と前記セパレータ遠位先端が前記針遠位先端から第１の既定距離だけ遠位に固定的に位置決めされる第２の位置との間でシフトさせるように構成されたアクチュエータと、
を備えている。
【０００７】
前記セパレータ遠位先端が前記第１の位置にあるとき、前記セパレータ遠位先端は前記サイズ遷移部分の側方非被覆区分から突き出ていてもよい。
【０００８】
発明のデバイスは、液体、ゲル、半固体、固形物、低粘度流体、高粘度流体、懸濁液、細胞懸濁液、乳濁液、溶液、ナノセラピー、マイクロスフィア、及び、インサート及びインプラント、のうちの何れか１つ又はそれ以上を注入するように構成されることができる。
【０００９】
デバイスは、シリンジと前記針ルーメンの間に流体接続可能なカニューレを更に備え、前記シリンジから注入される流体が前記カニューレ及び前記針ルーメンを介して前記針遠位先端へ直接流れることができるようにしていてもよい。
【００１０】
組織セパレータは、次の特徴の何れか１つ又はそれ以上を有していてもよく、即ち、
ａ．前記組織セパレータは、前記カニューレと、前記カニューレの内側のカニューレ壁へ接続されたプローブ固定部分及び前記カニューレのカニューレ遠位端から遠位方向に延び前記セパレータ遠位先端に終端するプローブ突出部分を備える細長いプローブと、を含んでいる、
ｂ．前記組織セパレータは、前記カニューレから前記プローブ固定部分の周りの前記針ルーメンへの流体の流れを許容するように構成されている、
ｃ．カニューレは前記組織セパレータを沿わせて滑動させるように構成されたシールを提供されている、
ｄ．カニューレは前記組織セパレータを沿わせて滑動させるように構成されたシールを提供されており、前記カニューレ遠位端は前記事前設定された固定位置の各位置にて前記シール内に又は前記シールより遠位に位置決めされる、
という特徴の何れか１つ又はそれ以上を有していてもよい。前記シリンジは前記セパレータのセパレータハブへ接続可能であってもよい。
【００１１】
デバイスは眼の中への注入向けに適合されていてもよい。
【００１２】
デバイスは、前記針より外側に提供されていて器官内の前記針遠位先端の第３の既定長さを越す穿通を防止するように構成されている外部ストッパを更に備えていてもよい。外部ストッパは次の特徴の何れか１つ又はそれ以上を有していてもよく、即ち、
ａ．前記外部ストッパは前記針に沿って延びる管であって、そのストッパ遠位端を前記第３の既定距離だけ前記針遠位先端より近位に配置させている管である、
ｂ．前記外部ストッパは前記針に沿って延びる管であって、そのストッパ遠位端を前記第３の既定距離だけ前記針遠位先端より近位に配置させている管であり、前記ストッパ遠位端は固定的に位置決めされているか又は前記針に沿って前記サイズ遷移部分より近位方向に選択的にシフト可能である、
という特徴の何れか１つ又はそれ以上を有していてもよい。
【００１３】
アクチュエータは、アクチュエータをアクチュエータの固定位置間でシフトさせるための２つ又はそれ以上の切り替えモードの間で切り替え可能なスイッチを備えていてもよい。
【００１４】
デバイスは、器官の標的組織部分を固着させ標的組織部分の中への針穿通を方向決めするための器官ドッキングデバイスを更に備えていてもよく、器官ドッキングデバイスは、
標的組織部分の表面になじむように構成された器官接触面及び前記接触面を通る穿通経路で針を案内するように構成されたガイドを備える器官ドッキングデバイス本体と、
当該器官ドッキングデバイスを前記標的組織部分へ定着させるように構成された定着部材と、
前記定着部材を、前記器官接触面との接触時に前記定着部材が前記標的組織部分と物理的に相互作用することが防止される退避位置と、前記針で前記既定の針穿通経路に沿って前記標的組織部分の中へ穿通する間は前記定着部材が前記組織標的部分へ定着して前記器官ドッキングデバイス本体と器官の間に反作用力を生成させる定着位置と、の間でシフトさせるように構成された定着用アクチュエータと、
を備えていてもよい。
【００１５】
ガイドは器官ドッキングデバイスに対して傾斜を変えることができるようになっていてもよい。
【００１６】
定着部材は次の特質の１つ又はそれ以上を有していてもよく、即ち、
ａ．前記定着部材は、前記器官ドッキングデバイス本体へ接続された少なくとも１つのアンカーを備え、各アンカーは前記標的組織部分の中へ穿通するための鋭利なアンカー先端を提供されている、
ｂ．定着部材が前記退避位置にあるとき、各アンカー先端は前記器官接触面より近位に位置づけられ、前記定着部材が前記定着位置にあるとき、前記アンカー先端は前記標的組織部分へ定着するために前記器官接触面より遠位に位置づけられる、
ｃ．定着部材が前記定着位置にあるとき、前記少なくとも１つのアンカーは前記器官接触面の周りの周辺点から反対側周辺点に向いて方向決めされる、
という特質の１つ又はそれ以上を有していてもよい。
【００１７】
デバイスは、前記器官接触面との接触時に前記標的組織部分を押圧するように構成された組織押圧部材を更に備えていてもよい。
【００１８】
定着部材は第１のアンカー及び第２のアンカーを含んでいてもよい。
【００１９】
針穿通経路は前記第１のアンカーと前記第２のアンカーの間を通っていてもよい。
【００２０】
前記少なくとも１つのアンカーの１つは、前記アンカー遠位先端で終わるアンカーサイズ遷移部分と、細身のレストリクターであって、その鈍なレストリクター先端を前記アンカーサイズ遷移部分の端間に固定的に位置決めさせ前記サイズ遷移部分の側方非被覆区分から突き出させているレストリクターと、を含んでいてもよい。
【００２１】
定着用アクチュエータは、少なくとも１つのアンカーを前記退避位置と前記定着位置の間でシフトさせるように構成された定着用トリガを備えていてもよい。
【００２２】
前記器官接触面は眼球の結膜組織及び／又は強膜組織になじむように構成されていてもよい。
【００２３】
軟組織押圧部材は眼球の結膜組織を強膜組織へ押圧するように構成されていてもよい。
【００２４】
ガイドは前記器官接触面に対し固定的に傾けられた細長い凹面として形成されていてもよい。
【００２５】
ドッキングデバイスは、前記装置の、前記ガイドに沿った既定の最大進行長さを越す遠位方向前進を防止するように構成された穿通制限要素を含んでいてもよい。
【００２６】
器官ドッキングデバイス本体は、前記ガイドと針を取り巻く装置との間の止り嵌めを作り出すように構成された磁石を含んでいてもよい。
【００２７】
デバイスは、シリンジの様な貯留部を更に備えていてもよい。
【００２８】
本発明は、その態様の別の１つでは、被術者の眼内の中間層領域の中へ物質又は物体を注入するための方法を提供しており、方法は、
ａ．被術者の器官の中間層の中への注入のためのデバイスを提供する段階であって、当該デバイスは、
針近位端と針遠位端の間を延びる針ルーメンを備える針であって、前記針遠位端は鋭利な針遠位先端に終端するサイズ遷移部分を含んでいる、針と、
セパレータ遠位先端を有する細長い組織セパレータであって、当該組織セパレータの少なくとも一部分は針ルーメン内でシフト可能である、組織セパレータと、
前記組織セパレータを前記針ルーメン内で、前記セパレータ遠位先端が前記針遠位先端より近位に固定的に位置決めされる第１の位置と前記セパレータ遠位先端が前記針遠位先端から第１の既定距離だけ遠位に固定的に位置決めされる第２の位置との間でシフトさせるように構成されたアクチュエータと、
を備えている、デバイスを提供する段階と、
ｂ．前記セパレータ遠位先端を前記サイズ遷移部分の端間の第１の位置に位置決めする段階と、
ｃ．前記セパレータ遠位先端を前記針遠位先端より第１の既定距離だけ近位に位置決めする段階であって、前記セパレータ遠位先端は前記サイズ遷移部分から突き出ている、位置決めする段階と、
ｄ．前記針遠位先端を使用し、器官外表面層を前記セパレータ遠位先端と接触させるまで器官の外表面を前記器官の中への穿通点にて穿通する段階であって、前記第１の既定長さは前記穿通点に隣接する前記外表面層の厚さより短い、穿通する段階と、
ｅ．前記物質又は物体を中間層の中へ注入する段階と、
を備えている。
【００２９】
発明の方法は、前記アクチュエータを使用して前記組織セパレータを前記針ルーメン内で長手方向にシフトさせ、前記セパレータ遠位先端を当該セパレータ遠位先端が前記針遠位先端より第２の既定長さだけ遠位に位置づけられる最遠位位置へ位置変えさせ、それにより前記セパレータ遠位先端で以て前記外表面層を前進し前記外表面層を貫いて前記器官の前記中間層の中へ穿通し前記中間層に通路を形成する段階、を更に備えていてもよい。
【００３０】
別途特に定義又は指定のない限り、本明細書に使用される全ての技術的及び／又は科学的な単語、用語、及び／又は語句は、発明が関連する技術分野の当業者によって普通に理解されているのと同じ又は同様の意味を持つ。本明細書に例示的に記載されている方法（工程、手続き）、装置（デバイス、システム、その構成要素）、機材、及び材料の例示としての実施形態は、例示であり説明のみを目的とし、必ずしも制限を課すことを意図していない。本明細書に記載のものと同等又は同様の方法、装置、機材、及び材料は、発明の実施形態を実践し及び／又は試験するのに使用できるが、例示としての方法、装置、機材、及び材料が以下に例示的に説明されている。対立が生じた場合、定義を含む特許明細書が支配することになる。
【００３１】
本明細書には、本発明の幾つかの実施形態が一例として添付図面を参照して説明されている。これより図面を詳しく参照するにあたり、強調しておきたいこととして、図示されている詳細事項は、一例であり、本発明の幾つかの実施形態を例示的に説明することを目的としている。これに関し、説明が添付図面と併せて考察されれば、本発明の幾つかの実施形態がどのように実践され得るかが当業者には明らかになるであろう。
【図面の簡単な説明】
【００３２】
【図１Ａ】本発明の幾つかの実施形態による、被術者の眼内の中間層領域への注入を容易にし及び施行するように構成されている或る例示としてのシステムを組み立てるための或る例示としてのキットの等角投影図を描いている。
【図１Ｂ】完全に組み立てられた状態で示されている図１Ａの例示としてのシステムの等角投影図を描いている。
【図１Ｃ】本発明の幾つかの実施形態による、被術者の眼内の中間層領域への流体注入を容易にするための器官作用デバイス（organ affecting device）を形成する諸要素の等角投影図である。
【図２Ａ】本発明の幾つかの実施形態による或る例示としてのシリンジと共に組み立てられた図１Ｃに示されている例示としてのデバイスの側面断面図を描いている。
【図２Ｂ】図２Ａのデバイスの拡大部分を描いている。
【図３】本発明の幾つかの実施形態による或る例示としてのシリンジの側面断面図を描いている。
【図４】本発明の幾つかの実施形態による或る例示としてのシール付きコネクタ部材の側面断面図を描いている。
【図５Ａ】本発明の幾つかの実施形態による或る例示としての組織セパレータの側面断面図を描いている。
【図５Ｂ】図５Ａの組織セパレータの拡大部分を描いている。
【図６Ａ】本発明の幾つかの実施形態による或る例示としての針の等角投影図を描いている。
【図６Ｂ】図６Ａの針の側面断面図を描いている。
【図７】本発明の幾つかの実施形態による或る例示としてのアクチュエータの側面断面図を描いている。
【図８Ａ】本発明の幾つかの実施形態による、針遠位端に対するセパレータ遠位先端の異なる事前設定位置の１つを示す、図１Ｃに示された例示としてのデバイスの遠位部分の側面図を描いている。
【図８Ｂ】本発明の幾つかの実施形態による、針遠位端に対するセパレータ遠位先端の異なる事前設定位置の１つを示す、図１Ｃに示された例示としてのデバイスの遠位部分の側面図を描いている。
【図８Ｃ】本発明の幾つかの実施形態による、針遠位端に対するセパレータ遠位先端の異なる事前設定位置の１つを示す、図１Ｃに示された例示としてのデバイスの遠位部分の側面図を描いている。
【図８Ｄ】本発明の幾つかの実施形態による、インプラントを搬送し配備するように構成された図１Ｃに示されている例示としてのデバイスの或る変形型の側面図を描いている。
【図９Ａ】本発明の幾つかの実施形態による或る例示としての器官ドッキングデバイスの等角投影図を描いている。
【図９Ｂ】図９Ａの器官ドッキングデバイスの側面断面図を描いている。
【図１０Ａ】本発明の幾つかの実施形態による、或る例示としての定着部材の等角投影図を描いている。
【図１０Ｂ】図１０Ａの定着部材の側面図を描いている。
【図１１Ａ】本発明の幾つかの実施形態による、図９Ａに示された或る例示としての器官ドッキングデバイスの、退避位置にあるアンカーを示している前方等角投影図を描いている。
【図１１Ｂ】本発明の幾つかの実施形態による、図９Ａに示された或る例示としての器官ドッキングデバイスの、定着位置にあるアンカーを示している前方等角投影図を描いている。
【図１２Ａ】本発明の幾つかの実施形態による、被術者の眼での、強膜部分を固着させ、強膜部分の中への針穿通を方向決めし、中間層領域への流体注入を容易にするための方法の例示としての諸工程を表現した異なる構成にある図１Ｂに示された例示としてのシステムの図を描いている。
【図１２Ｂ】図１２Ａと共に、本発明の方法の例示としての諸工程を表現した異なる構成にある例示としてのシステムの図を描いている。
【図１２Ｃ】図１２Ａ−図１２Ｂと共に、本発明の方法の例示としての諸工程を表現した異なる構成にある例示としてのシステムの図を描いている。
【図１２Ｄ】図１２Ａ−図１２Ｃと共に、本発明の方法の例示としての諸工程を表現した異なる構成にある例示としてのシステムの図を描いている。
【図１２Ｅ】図１２Ａ−図１２Ｄと共に、本発明の方法の例示としての諸工程を表現した異なる構成にある例示としてのシステムの図を描いている。
【図１２Ｆ】図１２Ａ−図１２Ｅと共に、本発明の方法の例示としての諸工程を表現した異なる構成にある例示としてのシステムの図を描いている。
【図１２Ｇ】図１２Ａ−図１２Ｆと共に、本発明の方法の例示としての諸工程を表現した異なる構成にある例示としてのシステムの図を描いている。
【図１２Ｈ】図１２Ａ−図１２Ｇと共に、本発明の方法の例示としての諸工程を表現した異なる構成にある例示としてのシステムの図を描いている。
【図１２Ｉ】図１２Ａ−図１２Ｈと共に、本発明の方法の例示としての諸工程を表現した異なる構成にある例示としてのシステムの図を描いている。
【図１２Ｊ】図１２Ａ−図１２Ｉと共に、本発明の方法の例示としての諸工程を表現した異なる構成にある例示としてのシステムの図を描いている。
【図１２Ｋ】図１２Ａ−図１２Ｊと共に、本発明の方法の例示としての諸工程を表現した異なる構成にある例示としてのシステムの図を描いている。
【図１２Ｌ】図１２Ａ−図１２Ｋと共に、本発明の方法の例示としての諸工程を表現した異なる構成にある例示としてのシステムの図を描いている。
【図１２Ｍ】図１２Ａ−図１２Ｌと共に、本発明の方法の例示としての諸工程を表現した異なる構成にある例示としてのシステムの図を描いている。
【図１２Ｎ】図１２Ａ−図１２Ｍと共に、本発明の方法の例示としての諸工程を表現した異なる構成にある例示としてのシステムの図を描いている。
【図１２Ｏ】図１２Ａ−図１２Ｎと共に、本発明の方法の例示としての諸工程を表現した異なる構成にある例示としてのシステムの図を描いている。
【図１３Ａ】本発明の幾つかの実施形態による、真空付着手段を採用した或る例示としての器官ドッキングデバイスの等角投影図を描いている。
【図１３Ｂ】図１３Ａの器官ドッキングデバイスの側面断面図を描いている。
【図１４Ａ】本発明の幾つかの実施形態による、器官ドッキングデバイスを採用した或る例示としての器官作用デバイスの側面断面図を描いている。
【図１４Ｂ】本発明の幾つかの実施形態による、被術者の眼での、強膜部分を固着させ、強膜部分の中への針穿通を方向決めし、中間層領域への流体注入を容易にするための方法の例示としての諸工程を表現した異なる構成にある図１４Ａに示された例示としてのデバイスの図を描いている。
【図１５Ａ】本発明の幾つかの実施形態による、被術者の眼内の中間層領域への注入を容易にするための或る例示としてのシステムユニットの側面断面図を描いている。
【図１５Ｂ】本発明の幾つかの実施形態による、図１５Ａに示された例示としてのシステムユニットの例示としての諸構成要素の等角投影図を描いている。
【図１５Ｃ】本発明の幾つかの実施形態による、異なる構成にある図１５Ｃに示された例示としての諸構成要素の図を描いている。
【発明を実施するための形態】
【００３３】
本発明は、その幾つかの実施形態では、被術者の眼を治療するためのデバイス及び方法に関しており、排他的にというわけではないがより具体的にいうと、眼の中間層へ医薬品を送達するためのデバイス及び方法に関する。
【００３４】
本発明の幾つかの実施形態の或る態様によれば、被術者の器官の中間層領域の中へ、流体、半固体、又は半流体の物質の様な１つ又はそれ以上の物質又はインプラントの様な物体を注入するように構成されたデバイス又は複数の相互接続型デバイスが提供されている。幾つかの実施形態では、その様な手段（デバイス）は、空間的方向、輪郭、及び寸法についての既定の特性及び／又はユーザーが選択した特性を有する進路（随意的には穿刺又は矢通しされた通路の形態）を形成するために適用でき、そしてその後、物質又は物体をこの進路の中へ入れ進路に沿って送達し進路から中間層領域のほとんど又は全体に亘って分散させるために適用できる。その様なデバイスは、分解されたキットの形態でユーザーに提供され、システムの形態に容易に組み立てられるようになっていてもよいし、又は別個のデバイスとして個別に提供されてもよい。
【００３５】
被術者はヒト又は動物の患者であってもよい。器官は被術者の眼であってもよく、本明細書に説明される例示としての実施形態の幾つかでは特に眼に関連して考察されているが、本発明の少なくとも一部の例示としての実施形態は他の器官又は組織を治療すること及び／又は他の器官又は組織に作用すること（例えば、医薬品をそこに注入することによる、又は好まれる方式での注入を容易にすることによる）に関連して考察されてもよい。
【００３６】
図１Ａ−図１Ｃを参照する。図１Ａは、被術者の器官（眼）の中間層領域への注入を容易にし及び施行するように構成されている或る例示としてのシステム１１を組み立てるための例示としてのキット１０を描いている。図１Ｂは、完全に組み立てられたシステム１１を描いている。キット１０又はシステム１１は、シリンジ１２の様な流体貯留部と、器官作用デバイス（organ affecting device）１００と、器官ドッキングデバイス２００と、を含んでいる。以下に更に説明されている様に、器官ドッキングデバイス２００は、器官（例えば被術者の眼）の標的組織部分（例えば強膜の標的部分）を固着させるように、及び標的組織部分の中への針穿通を方向決めするように構成され、例えば器官作用デバイス１００にとっての滑動用の経路を標的組織部分に対する選定された空間的方向に物理的に拘束するなどによって方向決めするように構成されている。
【００３７】
随意的には、器官作用デバイス１００は、注入に先立って、最も外側の又は前部の器官層（例えば強膜、随意的には結膜と一体）及び中間層領域（例えば、眼の脈絡膜層内及び／又は脈絡膜と網膜の間）の中への及びそれらを貫く有向性の空間のある通路を、正確な解剖学的場所に、選定されたアラインメントで、且つ事前に定義された寸法で作成することによって、器官の中間層領域での低・高体積流体分散を容易にするように構成される。この人工の通路は、有効に流体を収容し、流体を導き、流体を通路から器官の中間層領域を全通して離れた区域及び／又は広い区域へ分散させるように構成される。幾つかの実施形態では、通路は、標的組織部分に対して及び／又は標的組織部分の中への針の進入点に隣接する中間層領域に対して浅い角度（例えば０度から３０度）に向き付けられているか又は実質的に接線方向にある。
【００３８】
図１Ｃは、器官作用デバイス１００を形成する諸要素を描いており、それら要素はアクチュエータ１０１、スイッチ１０２、組織セパレータ１０３、シール付きコネクタ部材１０４、及び針１０５を含んでいる。針１０５は、眼の強膜（随意的には結膜も含める）の様な器官の外側の層の標的部分の中へ及び／又は標的部分を貫いて穿通するように構成されており、組織セパレータ１０３はその遠位先端と共に針１０５のルーメンを介して送られるように構成されていて、異なる機能に従って照準の合わされた異なる固定位置に選択的に位置決めできるようになっており、その様な異なる機能は、（ｉ）中間層領域部分内の隣接する層に刺入し層同士を分離する（離間させる）ことによって有向性の空間のある通路を形成する、（ｉｉ）標的組織部分での針１０５の穿通長さを制限するのを支援する、及び（ｉｉｉ）流体をシリンジ１２から針１０５のルーメンの中へ導く、のうちの少なくとも１つを含む。シール付きコネクタ部材１０４は、一方の端の組織セパレータ１０３と反対側の端の針１０５との間の液密接続を容易にする。
【００３９】
アクチュエータ１０１（別途図７に示す）は、器官作用デバイス１００の手持ち式本体を形成していて、シリンジ１２と組織セパレータ１０３との接続区域を収納するように構成されている。アクチュエータ１０１は、組織セパレータ１０３の遠位先端を事前設定された固定位置の間でシフトさせるためのスイッチ１０２を具備している。スイッチ１０２は描かれている様にトグル型スイッチであってもよいし、又はスイッチ１０２は、少なくとも２つ（随意的には３つ）のスイッチ位置を備えて構成された押しボタン、回転式ノブ、又はスライドスイッチの様な何れかの他の型式であってもよい。アクチュエータ１０１は、更に、アラインメント及びドッキングデバイス２００の方向決め用の面に沿った既定の進行長さを実現しやすくするために、ドッキングデバイス２００の噛み合い式陥凹領域の中へ締結するように構成された整列要素１３０を含んでいる。
【００４０】
図２Ａ−図２Ｂは、シリンジ１２と共に組み立てられたデバイス１００の側面断面図及び拡大図をそれぞれ描いている。シリンジ１２（別途図３に示す）は、ピストン１３、ピストン１３が滑動するバレル１４、及びシリンジコネクタ１５を含んでいる。シリンジコネクタ１５はデバイス１００に関しアクチュエータ１０１の専用中空部内で組織セパレータ１０３のセパレータハブ１０６へ接続されるように構成されており、セパレータハブ１０３はルアー接続１１４又は他の型式の漏れなしコネクタを具備していてもよい。組織セパレータ１０３（別途図５Ａ−図５Ｂに示す）は、更に、セパレータハブ１０６と細長いプローブ１０８の間を接続するカニューレ１０７を含んでいる。プローブ１０８は、カニューレ１０７の内側のカニューレ壁１１０へ固定的に接続されたプローブ固定部分１０９と、カニューレ１０７のカニューレ遠位端１１２から遠位方向に延びていてセパレータ遠位先端１１３で終わっているプローブ突出部分１１１と、を有している。この接続のやり方は、カニューレ１０７からの流体流れがプローブ固定部分１０９を横断して針１０５に向かって通過するのを容易にする。プローブ突出部分１１１は、針１０５に対するセパレータ遠位先端１１３の事前設定された固定位置を実現しやすくするのに十分な長さを有している。他の実施形態では、以下に説明されている様に、薬物貯留部（随意的には、シリンジの形態をしている、又はピストンを含んでいる）が組織作用デバイスの一体部分として提供されていてもよく、そうすると、部品の組み立てに必要とされるが大きな空間と全体設計での設計上の制限事項が付きまとうコネクタ及びハブの必要性がなくなる。
【００４１】
スイッチ１０２が、スイッチピボット接続１１７を横断してスイッチボタン１１６へ接続されているスイッチアーム１１５を介してセパレータハブ１０６と係合しており、スイッチボタン１１６をスイッチピボット接続１１７周りに動かすことは、結果的に、スイッチアーム１１５を介して組織セパレータ１０３を押すことによって組織セパレータ１０３を事前設定された固定位置の間でシフトさせることになる。
【００４２】
シール付きコネクタ部材１０４（別途図４に示す）は、中を通るカニューレ１０７の長さと直径に適応するように構成されたセパレータポート１１８と、針１０５と漏れなし接続するように構成された針コネクタ１１９（随意的には図示の様に雄型ルアー接続の形態）と、封止特質を危うくすることなしにカニューレ１０７が中で滑動できるようにしながらカニューレ１０７の周りを封止するように構成されたシール１２０と、を含んでいる。
【００４３】
針１０５（別途図６Ａ−図６Ｂに示す）は、随意的には図示の様に雌型ルアー接続部材を備える針ハブ１２１と、針シャフト１２２と、外部ストッパ１２３と、を含んでいる。針ルーメン１２４が針近位端１２５と針遠位端１２６の間を延びており、針遠位端１２６は鋭利な針遠位先端１２８で終わるサイズ遷移部分１２７を含んでいる。サイズ遷移部分１２７とは、針１０５の遠位端の部分であって、それに沿って急進漸進を問わず全体としてのシャフト１２２の寸法に対比した寸法の変化のある部分、例えば直径の変化又は周囲長の変化などのある部分のことをいい、例えばベベル部又は面取り部のことをいう。サイズ遷移部分は少なくとも長さ１ｍｍであり、随意的には約３ｍｍである。外部ストッパ１２３は、穿通された器官内での針遠位先端１２８の既定長さを越す穿通を物理的に抑制する又は妨害するように構成されている。外部ストッパ１２３は、針シャフト１２２の少なくとも一部に沿って外側を延びている管の形態をしていて、そのストッパ遠位端１２９は針遠位先端１２８より近位に位置づけられている。ストッパ遠位先端１２９は随意的には固定的に位置決めされるが、ストッパ遠位先端１２９はサイズ遷移部分１２７より近位方向に針シャフト１２２の長さに沿って選択的にシフト可能であってもよい。
【００４４】
これより、針遠位端１２６に対するセパレータ遠位先端１２８の異なる事前設定位置を示すデバイス１００の遠位部分の側面図を描いている図８Ａ−図８Ｃを参照する。細長い組織セパレータ１０３は、セパレータ遠位先端１１３が針遠位端１２６と並置されるように針ルーメン１２４内をその全体を通って延びるサイズ及び構成である。アクチュエータ１０１は、セパレータ遠位先端１１３が針遠位先端１２８に対して幾つかの事前設定された固定位置の間で動けるように組織セパレータ１０３を針ルーメン１２４内で選択的にシフトさせるのを容易にするように構成されている。デバイス１００は、デバイスの全使用中の漏れを防止するために、事前設定された固定位置の各位置にてカニューレ遠位端１１２がシール１２０内に又はシール１２０より遠位に位置決めされるように構成されている。
【００４５】
事前設定された固定位置の１つは中間位置（例えば図８Ａに示す）であって、スイッチ１０２が基準位置に提供され、セパレータ遠位先端１１３が針遠位先端１２８より第１の既定長さＬ１だけ近位に、随意的には約０．２ｍｍから約１．５ｍｍの範囲内で随意的には約０．５ｍｍだけ近位に固定的に位置決めされ位置づけられる位置である。中間位置では、セパレータ遠位先端１１３は遷移部分１２７の側方非被覆区分１３１から突き出ている。セパレータ遠位先端１１３は鈍であり、随意的には丸い形状をしていて、中間位置に固定されたときには、穿通される器官でのサイズ遷移部分１１２７の穿通が第１の既定長さより大きくなるのを物理的に抑制し又は妨害するように構成されている。
【００４６】
別の事前設定された固定位置は最遠位位置（例えば図８Ｃに示す）であって、スイッチ１０２が第１の押下位置に提供され、セパレータ遠位先端１１３が針遠位先端１２８より遠位に固定的に位置決めされる位置である。最遠位位置にあるとき、セパレータ遠位先端１１３は針遠位先端１２８より第２の既定長さＬ２だけ遠位に、随意的には約１ｍｍ又はそれ以上で随意的には約２ｍｍだけ遠位に位置づけられる。
【００４７】
３つ目の随意的な事前設定された固定位置は最近位位置（例えば図８Ｂに示す）であって、スイッチ１０２が第２の押下位置に提供され、セパレータ遠位先端１１３がサイズ遷移部分１２７の側方非被覆区分１３１より近位の針ルーメン１２４内にすっぽり隠れる位置である。
【００４８】
外部ストッパ１２３は、器官内での針遠位先端の第３の既定長さＬ３（図８Ｃに示す）を越す穿通を物理的に抑制し又は妨害するように構成されており、第３の既定長さは針遠位先端１２８とストッパ遠位先端１２９の間の長手方向距離に等しく、随意的には少なくとも１ｍｍであり、随意的には長さ約３ｍｍである。
【００４９】
図８Ｄは、インプラント１３２を搬送し配備するように構成されているデバイス１００の変形型の側面図を描いている。幾つかの実施形態では、セパレータ遠位先端１１３は、ユーザー選択による様なインプラント１３２を選択的に保持する又は解放するように構成されたインプラントコネクタ１３３を含んでいる。インプラントコネクタ１３３は、インプラント１３２へねじ止めするためのねじ山付き部分、インプラント１３２へ定着するためのフック機構、又は関連技術で知られている何れかの他の接続手段又は接続機構であってもよい。インプラント１３２は、例えば眼の天然の一部又は部分を改善する又は置換することを意図するもの（例えば人工網膜）であってもよいし、又はインプラント１３２は、医薬品を収容し例えば植え込み部位での／植え込み部位の周りでのインプラントからの医薬品の徐放及び／又は制御された放出を容易にするように構成されていてもよい。インプラント１３２の送達は、最初に、針１０５及び／又は組織セパレータ１０３によって形成される通路（例えば図１２Ｎに示されている通路ＰＳＧの様な通路）を作成する段階と、次いで組織セパレータ１０３をインプラントコネクタ１３３と共に使用して又は他の手段を使用してインプラント１３２を搬送し通路内に配備する段階と、によって達成されてもよい。随意的又は代替的に、通路はインプラント１３２を押し出すことによって形成されてもよく、その様な代替例では、インプラント１３２は鈍い遠位端又は鋭利な遠位端を有する形状であるか又は（単数又は複数の）組織切削要素を具備していて通路形成後にデバイス１００から接続解除される。インプラント１３２は要求される機能又は結末が達成された後に身体（眼）から取り出されてもよく、又はインプラント１３２は身体（眼）の中に永久的に残されることもでき、随意的には或る期間を経て身体内で生分解するようになっていてもよい。
【００５０】
これより、器官ドッキングデバイス２００の等角投影図及び側面断面図を描いている図９Ａ−図９Ｂを参照する。器官ドッキングデバイス２００は、標的組織部分の曲線状トポグラフィーに準じた形状の器官接触面２０２、つまりこの実施例では眼球に被さって納まるように湾曲した断面を有する環の形態をしている器官接触面２０２を備える器官ドッキングデバイス本体２０１を含んでいる。
【００５１】
器官ドッキングデバイス本体２０１は、更に、器官作用デバイス１００を沿わせて通過させるための、器官接触面２０２を横切る既定の針穿通経路２０４を区画し又は拘束するように構成された針方向決め面２０３を含んでいる。現在の例示としての実施形態では、針方向決め面２０３は器官接触面２０２に対して固定的に角度が付けられているが、他の実施形態では針方向決め面２０３は器官接触面２０２に対して選択的に傾斜を変えることができるようになっていてもよい。針方向決め面２０３は、器官作用デバイス１００のアクチュエータ１０１の一区分に嵌る形状をしており、それにより針方向決め面２０３上の滑動は既定の針穿通経路２０２に拘束される。この例示としての実施形態では、針方向決め面２０３は、前記器官接触面に対し固定的に傾けられた細長い凹面として形成されており、前部分を器官接触面２０２と接触させた状態の眼球に対するそれの接線方向の向き付けが容易になるように図っている。
【００５２】
器官ドッキングデバイス本体２０１の近位部分には細長い陥凹２１１が提供されており、細長い陥凹２１１はアクチュエータ１０１の整列要素１３０をぴったり嵌めてそれにより整列要素１３０をそこに締結させるのを容易にし、既定の針穿通経路２０４とのアラインメントに作用するような形状と寸法に構成されている。細長い陥凹２１１は、器官作用デバイス１００の、針方向決め面２０３に沿った既定の最大進行長さを越す遠位方向への前進を防止するように構成された穿通制限要素としての働きもする。器官ドッキングデバイス本体２０１は、更に、磁石２２２又は針方向決め面２０３とアクチュエータ１０１の間の止り嵌めを強制するように構成された他の手段を含んでいてもよい。
【００５３】
器官ドッキングデバイス２００は、更に、定着部材（anchoring member）２０５（別途図１０Ａ−図１０Ｂに示す）及び定着用アクチュエータ２０６を含んでいる。定着部材２０５は、器官接触面２０２が標的組織部分（例えば標的強膜部分）に適正に接触したときに標的組織部分へ定着するように構成されている。定着部材２０５は、周辺的に離間され対称的に互いに反対側に提供されている２つのアンカー２０７を備えており、２つのアンカー２０７は随意的には０．５ｍｍから３ｍｍの範囲内で互いに周辺的に離間されていてもよい。各アンカー２０６は、標的組織部分の中へ穿通するように構成された鋭利なアンカー先端２０８を備えている。アンカー２０７は、２つの定着部材脚部２１０によって形成された基部面２０９から垂直に突き出されていて、２つの定着部材脚部２１０は、互いに離間されていて組織作用デバイス１００を間に位置決めさせて受け入れるように対称的に配置されており、既定の針穿通経路２０４の向き付けを画することを図ったものである。アンカー２０７を固着させた定着部材２０５は器官ドッキングデバイスへ回転可能に接続されており、それにより退避位置（図１１Ａに示す）と定着位置（図１１Ｂに示す）の間のアンカーの動きを円滑にさせる。
【００５４】
定着用アクチュエータ２０６は、定着部材２０５が標的組織部分と物理的に相互作用することを防止される退避位置と定着部材２０５が組織標的部分へ定着される定着位置との間で、定着部材２０５を選択的にシフトさせることを容易にするように構成されている。定着用アクチュエータ２０６は、アンカー２０７を駆動して退避位置と定着位置の間でシフトさせるように構成された手動操作式定着用トリガ２１８を含んでいる。トリガ２１８は、この例示としての実施形態では、弾性材料で作られていて、トリガ２１８に弾性的にあまり応力がかかっておらず定着部材２０５は退避位置にあるという基準位置から、トリガ２１８に弾性的により多くの応力がかかり定着部材２０５は定着位置にあるという前進位置へ、前進方向（近位から遠位）に手で押圧されるように構成されており、よってトリガ２１８は解放されるや前進位置から基準位置へ跳ね返ることができる。トリガ２１８は、トリガピボット接続２２０周りのトリガアーム２１９を介して定着部材２０５へ接続されていて、トリガ２１８を前進押圧すると、その結果、定着部材２０５の前進（近位から遠位）シフトとアンカー２０７の突き出しが起こる。トリガロック２２１が溝穴ロック構成を介して定着用トリガ２１８と相互作用し、例えば定着用トリガ２１８が基準位置、退避位置、及び前進位置のうちの少なくとも１つへシフトされたときに、トリガロック２２１がユーザーによって選択的にロック解除されるまでは定着用トリガ２１８はトリガロック２２１によってその場に固定的にロックされるようにしている。
【００５５】
器官へ定着したら、器官ドッキングデバイス２００は、針１０５による標的組織部分への穿通中に針１０５が既定の針穿通経路２０４に沿って押し出されるときの定着された器官への反作用力の生成を容易にする。各アンカー先端２０８は、退避位置にあるときには器官接触面２０２より近位に位置決めされ、標的組織部分へ定着するための定着位置にあるときには器官接触面２０２より遠位に位置決めされる。
【００５６】
現在の例示としての実施形態では、アンカー２０７は器官接触面２０２の上周辺部分に配置された専用の開口部２１２（図１１Ａ）を通過可能である。定着位置に入ったとき、各アンカー２０７は各々の開口部２１２を介して突き出て、全体として器官接触面２０２の反対側の周辺点２１３の方を向き、アンカー先端２０８が既定の針穿通経路２０４に対し随意的に４５度から１３５度の範囲内で随意的には大凡９０度の角度で遠位方向を指した状態になる。
【００５７】
器官ドッキングデバイス２００は、標的組織部分が器官接触面２０２と接触したときに標的組織部分、随意的にはその周辺領域を押圧するように構成された組織押圧部材２１４を含んでいる。眼の治療に使用されるとき、組織押圧部材２１４は、標的強膜部分に隣接する結膜を締め付け又は引き締め、それにより、標的強膜部分の穿刺時の針遠位先端１２８にかかる抵抗力又は反動力を軽減させるために標的強膜部分の周辺をより深く押圧するように構成されている。
【００５８】
器官ドッキングデバイス２００と器官作用デバイス１００は、アクチュエータ１０１及び針１０５が針方向決め面２０３に沿って既定の針穿通経路２０４を辿るときに、針遠位先端１２８が２つのアンカー２０７の間を各アンカーのアンカー遠位先端２０８に近接して通過するよう拘束されるように構成されている。各アンカー２０７は、アンカー遠位先端２０８で終わるアンアーサイズ遷移部分２１５を（例えば、ベベル部分に）有している。最大穿通深さを制限するために、各アンカー２０７は、アンカーサイズ遷移部分２１５の端間に固定的に位置決めされていてサイズ遷移部分２１５の側方非被覆区分から突き出ている鈍なレストリクター先端２１７を有する細身のレストリクター２１６を提供されている。
【００５９】
図１２Ａ−図１２Ｏは、被術者の眼での、強膜部分を固着させ、強膜部分の中への針穿通を方向決めし、中間層領域への流体注入を容易にするための方法の例示としての諸工程を表現した異なる構成にあるキット１０、システム１１、器官作用デバイス１００、及び／又は器官ドッキングデバイス２００の図を描いている。第１の工程群は、器官ドッキングデバイス２００を使用して、器官の標的組織部分（この例では強膜部分ＳＰ）を固着させ、標的組織部分の中への針穿通を方向決めることを意図している。
【００６０】
図１２Ａに描かれている様に、器官ドッキングデバイスは、ユーザー（例えば眼科医）によって選定された場所に位置決めされ、器官接触面２０２が標的強膜部分ＳＰに押し当てて接触した状態に位置決めされる。器官ドッキングデバイス２００の設置は、選定された眼象限内の縁郭（透明な角膜から不透明な強膜への移行区域である）の周りに対称的に施行される。強膜は構造的には異方性であると考えられるので、要求される注入方向を実現しやすくするために針１０５の接線方向の穿通が所望されるとしても、強膜への針穿刺及び進行に抵抗する力を最小化するためには初期の垂直穿通が好適である。初期の垂直穿通後、針はシフトされ強膜内を脈絡膜に対し接線方向の（又は接線方向に近い）経路で脈絡膜層内の中間層領域の標的注入部位に到達するまで進められる。強膜への穿通は針先端を使用して果たされるが、一方脈絡膜の中への穿通は、脈絡膜内にある血管への潜在的な（意図しない）損傷を回避する又は最小限にするために鈍な組織セパレータを使用して果たされる。
【００６１】
強膜から脈絡膜への穿通点は、器官接触面２０２に対しての強膜への穿通点から離れている（図１２Ｌ及び図９Ａを参照、経路２０４に沿ってより遠位側）。その様な隔たりは、脈絡膜ＣＲに通路ＰＳＧを通して医薬品を注入することによって作り出される封止効果にとって重要である。つまり、注入後、眼の静水圧が注入された医薬品を逆流するよう仕向けがちであるが、脈絡膜への穿通より近位（眼球に関して）の強膜部分は無傷であるため逆流は防がれ、こうして通路ＰＳＧ全体が垂直穿通から強膜部分への医薬品の還流を防ぐ一方通行の弁の役目を果たすのである。
【００６２】
器官ドッキングデバイス２００が縁郭の周りに対称的に位置決めされたとき、ユーザーは縁郭より２ｍｍから４ｍｍ後方の強膜部分の中へ針１０５を垂直に穿通させるように器官ドッキングデバイスによって示される（図１２Ｅを参照、針先端１２８はアンカー２０７間の開口部に挿入されなくてはならない）。縁郭からの距離は、前後方向に、毛様体襞部１ｍｍから２ｍｍ、毛様体扁平部約４ｍｍである。これは強膜への垂直穿通が（眼球に関して）毛様体扁平部より近位側に与えられることを確約し、接線方向の穿通が脈約膜の中へのセパレータの穿通をもたらすことを確約する。
【００６３】
強膜の中への垂直穿通は部分的（強膜を全通していない）ではあっても、眼球に対しての毛様体扁平部の中への近位側での垂直穿通は安全策である。強膜部分の中へのより後方的な垂直穿通は、血管のより発達した毛様体襞部への外傷に因る大出血を生じさせないとも限らない。強膜部分へのより後方的な垂直穿通は網膜剥離を生じさせかねない。
【００６４】
定着部材２０５は退避位置（図１２Ｂ）にて提供されるので、位置決め後、次いで定着用アクチュエータ２０６が定着部材２０５を標的強膜部分へ定着するための定着位置（図１２Ｃ）へシフトさせるように適用される。図示の様に、アンカー２０７は強膜の選定された標的部分にて強膜層の中へ大凡垂直に約０．５ｍｍの深さに穿通し、やがて鈍なレストリクター先端２１７が強膜の外表面に接触してそれ以上の前進を抑制する（前方へ進むことをユーザーに停止させる合図として少なくともユーザーが気付ける程度の接触）。器官接触面２０２が強膜部分ＳＰと接触している間に、組織押圧部材２１４が標的強膜部分の上周辺部を押圧し、標的強膜部分ＳＰに隣接する結膜ＣＪを引き締める。
【００６５】
器官ドッキングデバイス２００は、標的強膜部分ＳＰに押し付けて選定位置に配備されたら、針１０５を有する器官作用デバイス１００を針遠位先端１２８で強膜部分ＳＰの中へ穿通（穿刺）するために既定の針穿通経路２０４に沿って方向決めするとともに強膜穿通中は（眼球の回転を防ぐために）器官ドッキングデバイス本体２０１と眼球の間に反作用力を生成させるよう働くことができる。
【００６６】
次の工程群は、被術者の眼内の中間層領域への流体注入を容易にすることを意図している。要求される結果は、先に説明されている様に、針進入点に隣接する標的強膜部分に対し大凡接線方向に浅い角度で向き付けられ強膜層内から脈絡膜の中へ長さ約２ｍｍから４ｍｍだけ延びる人工的に形成された通路又はチャネルである。通路は、障害物のない状態になったら、脈絡膜及び隣接層の中間層領域に有向性の空間を現出させ、次いでこの空間は流体（医薬品）で満たされ、その後、流体は形成された通路から遠隔の後部を含む中間層領域の空間全体を通って分散することができる。
【００６７】
器官作用デバイス１００を適用する前に、セパレータ遠位先端１１３が、針遠位先端１２８より近位に第１の既定長さＬ１を取って中間位置に固定的に位置決めされサイズ遷移部分１２７の側方非被覆区分１３１から突き出ている（図８Ａに示す）ように、スイッチ１０２がその標準位置にあることをユーザーは確かめなくてはならない。第１の既定長さＬ１は前記強膜の厚さより短く、随意的には０．２ｍｍから１．５ｍｍの範囲内で、随意的には長さ約０．５ｍｍである。セパレータ遠位先端１１３が中間位置にある状態で、器官作用デバイス１００が適用され（図１２Ｄ）、針遠位先端１２８を使用して強膜部分ＳＰの中へ（但し全通させずに）、眼の外表面をセパレータ遠位先端１１３と接触させるまで穿通するべく（図１２Ｅ−図１２Ｇ）器官作用デバイス１００が適用される。図示の様に、強膜穿通は、２つのアンカー２０７の間で針穿通点に隣接する眼の外表面に対し３０度から１２０度の範囲内の穿通角度で随意的には垂直に施行される。
【００６８】
針遠位先端１２８が強膜部分ＳＰ内で第１の既定長さＬ１に等しい深さに至ると、針遠位先端１２８は次いで急勾配の穿通角度から、穿通点に隣接する眼外表面に対して０度から３０度の範囲内の浅い角度へ、随意的には接線方向に操縦される（図１２Ｈ−図１２Ｊに示す）。器官ドッキングデバイス２００は器官接触面２０２に対して角度を付けられた針方向決め面２０３を有する構成であり、よって、針遠位先端１２８の操縦は、針遠位先端１２８が既定の針穿通経路２０４の方向に強膜部分ＳＰの方を指した状態で（針のベベル部分が眼の方を向いて位置決めされた状態で）位置決めアクチュエータ１０１を針方向決め面の上で針方向決め面に沿って位置決めすることによって達成される。既定の針穿通経路２０４に沿った針１０５の穿通を確実にするために、アクチュエータ１０１の整列要素１３０が器官ドッキングデバイス本体２０１の細長い陥凹２１１に嵌め込まれている。
【００６９】
針遠位先端１２８の注入角度への操縦に続いて、セパレータ遠位先端１１３が最近位位置に退避させられ（図１２Ｋ）、セパレータ遠位先端１１３はサイズ遷移部分１２７の側方非被覆区分より近位で針ルーメン１２４内にすっぽり隠れる。針遠位先端１２８は、次いで、制限されることなく強膜内を前進方向に第１の既定長さＬ１の最大進行長さまで押し出されることができる（図１２Ｃ）。注入角度が浅く、随意的には強膜層に対して大凡接線方向であるので、針は脈絡膜の中へ穿通することなく強膜内を数ミリの深さだけ進むことができ、例えば１ｍｍから５ｍｍの範囲内の長さ、随意的には約３ｍｍの長さに沿って進むことができる。許容される穿通長さを過ぎることは外部ストッパ１２３によって抑制され又は妨害される。
【００７０】
脈絡膜の中への有向性通路を作成するうえで、鋭利な針の使用は脈絡膜の血管への損傷を防ぐために回避されており、よって通路は代わりに鈍なセパレータ遠位先端１１３を用いて作成される。したがって、組織セパレータ１０７が針ルーメン１２４内を遠位方向にシフトされ、その結果、セパレータ遠位先端１１３が少なくとも１ｍｍ随意的には約２ｍｍの第２の既定長さＬ２に沿って針遠位先端１２８より遠位の最遠位位置に位置変えされ（図１２Ｍ）、それにより強膜部分ＳＰ内を前進し、脈絡膜ＣＲの中へ穿通し脈絡膜ＣＲ内に通路ＰＳＧを形成する（図１２Ｎに示す）。
【００７１】
通路ＰＳＧは、脈絡膜ＣＲの血管外脈絡膜層に通るように眼中での長さ及び向きを有していてもよい。随意的、追加的、又は代替的に、通路ＰＳＧは、強膜部分ＳＰより遠位の脈絡膜上腔を広げるように眼中での長さ及び向きを有していてもよい。随意的、追加的、又は代替的に、通路ＰＳＧは、脈絡膜ＣＲとそれに隣接する網膜色素上皮層の間を延びるように眼中での長さと向きを有していてもよい。
【００７２】
通路ＰＳＧを形成した後、セパレータ遠位先端１１３が、随意的には最近位位置まで、再度退避させられ針ルーメン１２４内にすっぽり隠れたら（図１２Ｎ）、次いでシリンジ１２を使用して医薬品を通路ＰＳＧの中へ注入することができる。ここに説明されている方法及びデバイスは、動物（特に哺乳類の眼）の網膜下腔へ（又は脈絡膜の血管外脈絡膜層、又は脈絡膜上腔、又は脈絡膜とそれに隣接する網膜色素上皮層の間へ）、活性成分（例えば薬理活性原末及び／又は細胞及び／又は遺伝子）の薬理学的有効量を適切な担体中に含む組成物の様な療法組成物（特に液体の療法組成物）を送達するのに使用されることができる。
【００７３】
投与される療法組成物の量は、何れの適切な量であってもよく、活性成分の性質、活性成分の濃度、治療状況、治療にあたる医師の専門家としての判断といった様な因子に依存し、必要以上の実験をしなくても当業者によって容易に計算でき又は求めることができる。とはいえ、典型的には、ここに説明されている方法及びデバイスを使用してヒトの眼に投与される組成物の量は、約５００マイクロリットルまで、約３００マイクロリットルまで、より典型的には約１５０マイクロリットルまでとされる。典型的には、投与される組成物の量は約１０マイクロリットルと約１５０マイクロリットルの間である。本明細書での使用に際し「療法組成物」とは、活性成分の１つ又はそれ以上と薬理学的に受容され得る担体及び賦形剤の様な他の成分との製剤をいう。療法組成物の目的は被術者への活性成分の投与を容易にすることである。
【００７４】
「薬理学的に受容され得る担体」という用語は、被術者への有意な刺激を生じさせず投与される活性成分の活性及び特質を実質的に抑止しない担体又は希釈剤をいう。これらの語句の下には補助剤が含められる。「賦形剤」という用語は、活性成分の投与を更に容易にするように療法組成物へ添加される不活性物質をいう。
【００７５】
本明細書の教示を実施する場合に使用される療法組成物は、賦形剤及び補助剤を備える１つ又はそれ以上の薬理学的に受容され得る担体を使う従来のやり方であって、活性成分の薬理学的組成物への加工を容易にし、概して活性成分の或る量を他の成分と混合する工程を含むやり方で、当業者になじみのある技法を使用して配合されてもよい。適切な技法は、「レミントンの薬理科学」、米国ペンシルバニア州イーストン、マック出版、最新版（“Ｒｅｍｉｎｇｔｏｎ’ｓ，  Ｐｈａｒｍａｃｅｕｔｉｃａｌ  Ｓｃｉｅｎｃｅｓ，”  Ｍａｃｋ  Ｐｕｂｌｉｓｈｉｎｇ  Ｃｏ．，  Ｅａｓｔｏｎ，  ＰＡ，  ｌａｔｅｓｔ  ｅｄｉｔｉｏｎ）に記載されており、同誌をここに参考文献として援用する。例えば、本明細書の教示を実施する場合に有用な薬理学的組成物は、当技術でよく知られている１つ又はそれ以上のプロセス、例えば混合、配合、均質化、溶解、粒状化、乳化、カプセル化、閉じ込め、及び凍結乾燥のプロセスによって製造されてもよい。
【００７６】
本明細書の教示を実施するのに適した薬理学的組成物は、意図された目的を実現するのに有効な量（薬理学的有効量）の活性成分を備える組成物を含む。薬理学的有効量の決定は、ゆうに当業者の能力の範囲内であり、例えば最初はサル又はブタの様な動物モデルから推定される。
【００７７】
上記によれば、本明細書の教示を実施するために使用される療法組成物は、ｐＨ７．４のリン酸緩衝生理食塩水、例えば１４０ｍＭのＮａＣｌ、２．８ｍＭのＫＣｌ、１０ｍＭの第２リン酸ナトリウム、２ｍＭの第１リン酸カリウムの様な何れかの適切な担体を含む。
【００７８】
本明細書の教示を実施するために使用される療法組成物は、何れかの適切な活性成分を含んでいる。幾つかの実施形態では、療法組成物は、薬理活性原末、細胞、及び遺伝子のうちの少なくとも１つから成る群より選択される少なくとも１つの活性成分を備えている。適切な活性成分は、限定するわけではないが、以下のうちの何れかの様な薬理活性原末を含む。
【００７９】
幾つかの実施形態では、療法組成物は表面糖タンパク質受容体の阻害剤を備えている。
【００８０】
幾つかの実施形態では、療法組成物は、抗有糸分裂剤、微小管阻害剤、分泌抑制剤、活性抑制剤、リモデリング抑制剤、アンチセンスヌクレオチド、代謝拮抗剤を備えている。
【００８１】
幾つかの実施形態では、療法組成物は、抗がん化学療法剤、増殖阻害剤（血管新生阻害剤を含む）を備えている。
【００８２】
幾つかの実施形態では、療法組成物は、抗炎症剤（例えば、ヒドロコルチゾン、酢酸ヒドロコルチゾン、デキサメタゾン２１−リン酸、フルオシノロン、メドライゾン、メチルプレドニゾロン、プレドニゾロン２１−リン酸、プレドニゾロン酢酸、フルオロメトロン、ベタメタゾン、トリアムシノロン、トリアムシノロンアセトニドロセプレドノール、ジフルプレドネート、フルオロメトロン、又はリメキソロンなど）、非ステロイド系抗炎症剤（例えば、サリチル酸塩、インドメタシン、イブプロフェン、ジクロフェナク、フルルビプロフェン、ピロキシカムブロムフェナク、ケトロラク、トロメサミン、又はネパフェナクなど）、抗アレルギー剤（例えば、クロモグリク酸ナトリウム、アンタゾリン、メタピリリン、クロルフェニラミン、セトリジン、ピリラミン、プロフェンピリダミンなど）、増殖阻害剤（例えば、１，３−シスレチノイン酸など）、充血除去剤（例えば、フェニレフリン、ナファゾリン、テトラヒドロゾリンなど）、縮瞳剤及び抗コリンエステラーゼ（例えば、ピロカルピン、サリチル酸塩、カルバコール−９塩化アセチルコリン、フィソスチグミン、セリン、ジイソプロピルフルオロリン酸塩、ホスホリンヨウ素、臭化デメカリウムなど）を備えている。
【００８３】
幾つかの実施形態では、療法組成物は、抗新生物薬（例えば、カルムスチン、シスプラチン、フルオロウラシルなど、免疫学的薬物（例えば、ワクチン及び免疫刺激剤など）を備えている。
【００８４】
幾つかの実施形態では、療法組成物は、ホルモン剤（例えば、エストロゲン、エストラジオール、黄体ホルモン系、プロゲステロン、インスリン、カルシトニン、副甲状腺ホルモン、ペプチド、及びバソブレッシン視床下部放出因子など）、免疫抑制剤、成長ホルモン拮抗剤を備えている。
【００８５】
幾つかの実施形態では、療法組成物は、増殖因子及び／又はサイトカイン（例えば、上皮細胞増殖因子、繊維芽細胞増殖因子、血小板由来増殖因子、形質転換増殖因子ベータ、ソマトロピン、フィブロネクチン、神経増殖因子、腫瘍壊死因子、インターロイキン、毛様体神経栄養因子など）を備えている。
【００８６】
幾つかの実施形態では、療法組成物は、血管新生の阻害剤（例えば、アンギオスタチン、酢酸アネコルタブ、トロンボスポンジン、ＶＥＧＦ及び／又はＶＥＧＦ受容体の阻害剤、ＰＤＧＦ及び／又はＰＤＧＦ受容体の阻害剤など）を備えている。
【００８７】
幾つかの実施形態では、療法組成物はドーパミン作動薬を備えている。
【００８８】
幾つかの実施形態では、療法組成物は放射線療法剤を備えている。
【００８９】
幾つかの実施形態では、療法組成物はペプチド、タンパク質、酵素、細胞外基質成分を備えている。
【００９０】
幾つかの実施形態では、療法組成物はＡＣＥ阻害剤を備えている。
【００９１】
幾つかの実施形態では、療法組成物は遊離基捕捉剤、キレート剤、酸化防止剤を備えている。
【００９２】
幾つかの実施形態では、療法組成物は抗ポリメラーゼ剤を備えている。
【００９３】
幾つかの実施形態では、療法組成物は光線力学療法剤を備えている。
【００９４】
幾つかの実施形態では、療法組成物は遺伝子療法剤及び遺伝子編集剤（限定するわけではないが、ウイルスベクター、ＣＲＩＳＰＲ／Ｃａｓ９、メガヌクレアーゼ、ＺＦＮ、ＴＡＬＥＮを含み得る）を備えている。
【００９５】
幾つかの実施形態では、療法組成物は遺伝子ノックダウン剤、例えば、ＲＮＡを含むものなどを備えており、限定するわけではないがＳｉＲＮＡ、ＳｈＲＮＡ、ＡＳ−ＲＮＡ、例えばＱＲ１１０などを含み得る。
【００９６】
幾つかの実施形態では、療法組成物は療法剤、例えば、プロスタグランジン、抗プロスタグランジン剤、プロスタグランジン前駆体、などを備えている。
【００９７】
幾つかの実施形態では、療法組成物は抗血管新生剤、例えば、ラニビズマブ、ベバシズマブ、アフリベルセプト、又はペガプタニブ、又はそれらの組合せのなどを備えている。
【００９８】
幾つかの実施形態では、療法組成物は抗血管内皮増殖因子（抗ＶＥＧＦ）剤、例えば、マクゲン、ルセンティス、アバスチン、アイリーア、ブロルシズマブ、アビシパーペゴル、ＯＰＴ−３０２、又は何れかの適切なバイオシミラー、バイオベター、又はそれらの組合せなどを備えている。
【００９９】
幾つかの実施形態では、療法組成物は架橋剤を備えている。
【０１００】
幾つかの実施形態では、療法組成物は短期及び長期バックリング効果を期した増粘剤を備えている。
【０１０１】
幾つかの実施形態では、療法組成物はＴＮＦアルファ阻害剤、例えば、インフリキシマブ、エタネルセプト、アダリムマブ、セルトリズマブ、又はゴリムマブなどを備えている。
【０１０２】
幾つかの実施形態では、療法組成物はｍＴＯＲ阻害剤、例えば、シロリムス、エベロリムス、テムシロリムス、又はｍＴＯＲキナーゼ阻害剤などを備えている。
【０１０３】
幾つかの実施形態では、療法組成物は神経保護剤、例えば、酸化防止剤、カルシニューリン阻害剤、ＮＯＳ阻害剤、シグマ−１モジュレーター、ＡＭＰＡ拮抗剤、カルシウムチャネルブロッカー、又はヒストン脱アセチル化阻害剤などを備えている。
【０１０４】
幾つかの実施形態では、療法組成物は補体阻害剤、例えば、ランパリズマブなどを備えている。
【０１０５】
幾つかの実施形態では、療法組成物は抗血小板由来増殖因子（ＰＤＧＦ）阻害剤（anti-platelet derived growth factor inhibitor）、例えば、抗血小板剤、トロンビン阻害剤、抗血栓形成剤、血栓溶解剤、線維素溶解剤、ペグプレラニブ、リヌクマブ、ＤＥ１２０、ボロラニブ（Ｘ−８２、ＣＭ−０８２）などを備えている。
【０１０６】
幾つかの実施形態では、療法組成物はアンジオポエチン経路阻害剤、例えば、ネスバクマブ（ＲＥＧＮ−９１０−３）、ＲＧ−７７１６、ＡＲＰ−１５３６、ＡＫＢ−９７７８などを備えている。
【０１０７】
幾つかの実施形態では、療法組成物は降圧剤、例えば、血管攣縮阻害剤、カルシウムチャネルブロッカー、血管拡張剤、アセタゾラミド（ＵＲＡＭＯＸ、ＤＩＡＭＯＸ）などを備えている。
【０１０８】
幾つかの実施形態では、療法組成物は、抗菌薬及び抗生物質（例えば、テトラサイクリン、クロルテトラサイクリン、バシトラシン、ネオマイシン、ポリミキシン、グラミシジン、セファレキシン、オキシテトラサイクリン、クロラムフェニコール、リファンピシン、シプロフロキサシン、トブラマイシン、ゲンタマイシン、エリスロマイシン、ペニシリン、スルファナミド系、スルファジアジン、スルファセタミド、スルファメチゾール、スルフィソキサゾール、ニトロフラゾン、プロピオン酸ナトリウムなど）、抗真菌剤（例えば、アンポテリシンＢ及びミコナゾールなど）を備えている。
【０１０９】
幾つかの実施形態では、療法組成物は抗ウイルス薬、例えば、イドクスウリジントリフルオロチミジン、アシクロビル、ガンシクロビル、インターフェロン、抗ＡＩＤＳ  ＣＭＶなどを備えている。
【０１１０】
幾つかの実施形態では、療法組成物は代替標的、例えば、ＩＣＯＮ−ｌ（ｈｌ−ｃｏｎｌ）−０．３ｍｇ硝子体内注射、カロツキシマブ（ＤＥ−１２２、ＴＲＣ１０５）などを備えている。
【０１１１】
幾つかの実施形態では、療法組成物は毒素類、例えば、ボツリヌス毒素などを備えている。
【０１１２】
幾つかの実施形態では、療法組成物は組織標的指向化剤、例えば、ブリリアントブルー、抗体、又は組織標的指向化のための他の小分子などを備えている。
【０１１３】
幾つかの実施形態では、療法組成物は架橋剤を備えている。
【０１１４】
幾つかの実施形態では、療法組成物は薬物放出制御製剤、例えば、限定するわけではないがＰＥＧ化、ハイドロゲルデポ、非生分解性蛍光ポリスチレン粒子、生分解性製剤などを備えている。
【０１１５】
幾つかの実施形態では、療法組成物は細胞療法促進剤、例えば、限定するわけではないが幹細胞、前脳由来ヒト皮質神経前区細胞、網膜前区細胞、成熟した光受容体細胞、及びＲＰＥ細胞などを備えている。幾つかの実施形態では、幹細胞は、海馬幹細胞、ＥＳ細胞、骨髄幹（間質）細胞、及び網膜幹細胞から成る群より選択されている。
【０１１６】
幾つかの実施形態では、本明細書の教示は、眼の障害、例えば網膜色素変性症、黄斑変性症（萎縮性黄斑変性症を含む)、ベスト病、スターガルト病、ソルスビー病、若年性黄斑変性症、中心性輪紋状脈絡膜ジストロフィ、中心性漿液性脈絡網膜症、コロイデレミア、脈絡膜黒色腫、コート病、錐体杆体ジストロフィ、角膜ジストロフィ、フックスジストロフィ、嚢胞様黄斑浮腫、糖尿病性網膜症、ドインハニカム網膜ジストロフィ、高血圧性網膜症、緑内障、若年性網膜分離症、網膜格子様変性、レーバー粟粒血管腫症、眼ヒストプラズマ症、眼虚血症候群、乳頭血管炎、ポリープ状脈絡膜血管症、トキソプラズマ症、及びアッシャー症候群など、血管閉塞、炎症、例えばブドウ膜炎、脈絡膜炎、及び網膜炎など、及び新生物を含む様々な腫瘍、の治療のために使用され及び／又は実施される。
【０１１７】
幾つかの実施形態では、本明細書の教示は眼の疾患を治療するのに実施される。幾つかの実施形態では、本明細書の教示に従って治療される眼の疾患は萎縮型黄斑変性症であり、療法組成物はＰＢＳの様な担体中に活性成分としての幹細胞を備えている。
【０１１８】
幾つかのその様な実施形態では、濃度は約１０，０００細胞／ミリリットルと約１，０００，０００細胞／ミリリットルの間であり、幾つかの実施形態では約２００，０００細胞／ミリリットルと約４００，０００細胞／ミリリットルの間であり、また幾つかの実施形態では約２５０，０００細胞／ミリリットルと約３５０，０００細胞／ミリリットルの間である。
【０１１９】
幾つかのその様な実施形態では、被術者がヒトである場合、約１マイクロリットルと約５００マイクロリットルの間の療法組成物、幾つかの実施形態では約１００マイクロリットルと約３００マイクロリットルの間の療法組成物が投与される。本明細書では本発明の実施形態は主に生体ヒト被術者の治療に関連付けて説明されている。但し、本発明の実施形態は、ヒトでない哺乳類、例えば、ブタ及び他のブタ科、イヌ及び他のイヌ科、ネコ及び他のネコ科、ウマ及び他のウマ科、サル、類人猿、及びウシなどの獣医学的又は産業的（農業的）処置のために施行されるものと理解される。
【０１２０】
医薬品及び／又はその作用物質は、随意的には以下からなる群より選択され、つまり、（限定するわけではないが）表面糖タンパク質受容体の阻害剤、抗有糸分裂剤、抗がん化学療法剤、抗炎症剤、非ステロイド系抗炎症剤、抗新生物剤、ホルモン剤、増殖因子、血管新生の阻害剤、ドーパミン拮抗剤、放射線療法剤、ペプチド、タンパク質、酵素、細胞外気質成分、ＡＣＥ阻害剤、遊離基捕捉剤、抗ポリメラーゼ、光線力学療法剤、遺伝子療法剤及び遺伝子編集剤、抗血管新生剤、ＶＥＧＦ及びＶＥＧＦ受容体阻害剤、ＰＤＧＦ及びＰＤＧＦ受容体阻害剤、ＤＮＡ、ＲＮＡ、アンチセンスＲＮＡ、ウイルス、エクソソーム、毒素、架橋剤、組織標的指向化剤、徐放系、降圧剤、抗菌剤、抗ウイルス薬、細胞、抗生物質、薬剤放出制御製剤、核酸ベースの療法剤、ｍＴＯＲ阻害剤、抗ＴＮＦアルファ剤、血管透過性阻害剤、補体阻害剤、又はそれらの組合せから成る群より選択される。医薬品は、低・高粘度及び低・高体積の懸濁液、乳濁液、溶液、ゲル、ナノセラピー、マイクロスフィアの形態、又は、インサートもしくはインプラントの形態をしていてもよい。医薬品注入の総体積及び／又は流量は、例えば、１０μＬより大きい総体積に設定されることができる。随意的には、通路ＰＳＧは、１００ｐＬより大きく随意的には５００ｐＬまでの総体積の医薬品で溢れる。図１２Ｏは、通路ＰＳＧの満液の結果を描いており、脈絡膜と網膜の間の中間層領域全体が医薬品で満たされていることを示している。
【０１２１】
図１３Ａ−図１３Ｂは、器官ドッキングデバイス２００の或る例示としての変形型である例示としての器官ドッキングデバイス３００の等角投影図及び側面断面図をそれぞれ描いている。器官ドッキングデバイス３００は、眼ドッキング要素３０１と、器官作用デバイス（例えば器官作用デバイス１００）の遠位部分に適応し及び接続するように構成された第１ポート３０２と、真空生成デバイス（例えば、ポンプ又はシリンジ）に適応し及び接続するように構成された第２ポート３０３と、を含んでいる。眼ドッキング要素３０１は、少なくとも部分的にはシリコンゴムの様な弾性材料から形成されていて、第２ポート３０３を介して真空力に曝されたときに眼ドッキング要素３０１の内表面３０４と眼の外表面の間に閉じ込められる内部体積を小さくしながらも眼の外表面を押圧するように構成されている。
【０１２２】
図１４Ａは、随意的にはシステム２０の或る例示としての変形型である例示としての器官作用デバイス４００の側面断面図を描いている。器官作用デバイス４００は、針４０１（機能及び／又は構造は針１０５と同様であってもよい）と、針４０１のルーメン内を滑動するサイズの組織セパレータ４０２（機能及び／又は構造は組織セパレータ１０３と同様であってもよい）と、針４０１に被さって嵌り、そのルーメンを通る針４０１の滑動に適応するサイズの外管４０３と、を含んでいる。外管４０３は、その遠位先端から外管４０３の長軸に対して或る角度で（随意的には垂直に）立ち上がっているフック４０４を含んでいる。フック４０４は、眼の強膜の様な軟組織の中へ穿通し及び軟組織へ固着するための鋭利な先端を有する構成である。外管４０３の内側のルーメンは、随意的には、流体（医薬品）を針４０１のルーメンへ送達する、随意的には組織セパレータ４０２の周りに送達するために、又は随意的には組織セパレータ４０２が針４０１から取り出された後に送達するために使用できる。
【０１２３】
図１４Ｂは、被術者の眼での、強膜部分ＳＰを固着させ、強膜部分ＳＰの中への針穿通を方向決めし、中間層領域への流体注入を容易にするための方法の例示としての諸工程を表現した異なる構成にある器官作用デバイス４００の図を描いている。構成（Ｉ）では、デバイス４００はフック４０４を標的の強膜部分ＳＰに隣接させて位置決めされており、一方、組織セパレータ４０２の遠位先端は針４０１の遠位先端より近位に提供されている。構成（ＩＩ）では、デバイス４００が強膜部分ＳＰに押し付けられたことに続いてフック４０４が部分的に強膜部分ＳＰの中へ穿通される。構成（ＩＩＩ）では、フック４０４が定着された強膜部分ＳＰを介し眼球運動を防止するように反作用力を加えることによって眼を固着させている間に、針４０１が前方に押し出され、その遠位先端で眼の外表面に対して浅い角度で約１ｍｍ〜２ｍｍの深さだけ強膜部分ＳＰを穿通していることが示されている（よって、針４０１は強膜の中を進むときに強膜部分ＳＰを通過して脈絡膜層の中まで至らない）。構成（ＩＶ）では、フック４０４が眼を固着させ、針４０４が強膜内への前進に続いて所定位置に位置決めされている間に、組織セパレータ４０２が前方へ押し出され、強膜部分ＳＰを横断し、その遠位先端で以て針４０１の遠位先端に対して約２ｍｍから３ｍｍ深く脈絡膜層の中へ穿通した後の状態が示されている。その後、組織セパレータ４０２は引き出され、医薬品の送達に備えた細長い通路（例えば図１２Ｎの通路ＳＰＧと同様）が残る。
【０１２４】
これより、被術者の眼内の中間層領域への注入を容易にするための或る例示としてのシステムユニット５００の側面断面図を描いている図１５Ａを参照する。システムユニット５００は、中を通る流体を加圧するためのシリンジのピストンの長さに適応するように構成された細長いチャネル５０２を収納しているユニット本体５０１を含んでいる。細長いチャネル５０２は、その遠位端を介して、ユニット本体５０１内で、組織セパレータ５０４（機能及び構造は組織セパレータ１０３と同様）のカニューレ５０３と流体接続されている。組織セパレータ５０３は、針５０６（機能及び構造は針１０５と同様）のルーメンに嵌合しルーメンに沿って滑動するように構成された細身のプローブ５０５を更に含んでいる。
【０１２５】
図１５Ｂは、システムユニット５００の組み立てられた構成要素の幾つかの等角投影図を描いており（但し、分かりやすくするためにシステムユニット内の組み立てられた他の構成要素は描画上隠されている）、図１５Ｃは異なる構成（Ｉ）、（ＩＩ）、及び（ＩＩＩ）にある同じ組み立てられた構成要素の図を描いている。図示されている様に、ユニット本体５０１には、針５０６へ滑動可能に接続された遠位側外引き出し５０８と、組織セパレータ５０４へ固定的に接続された近位側内引き出し５０９を備える伸縮式引き出し機構５０７が提供されていて、針５０６の中の及び針５０６を通ってのプローブ５０５の軸方向滑動に対する組織セパレータ５０４と針５０６の間の相対運動を（例えば拘束又は区画化によって）容易にするように構成されている。
【０１２６】
図１５Ｃに示されている様に、構成（Ｉ）では、ユニット本体５０１は針５０６と共に、眼の標的強膜部分の中へ、針穿通点に隣接する眼の外表面に対して３０度から１２０度の範囲内の急勾配の穿通角度で、随意的には垂直に、向き付けられている（図１２Ｆ及び図１２Ｇと同様）。この構成では、組織セパレータ５０４は針５０６内を自由に滑動することができる。
【０１２７】
図１５Ｃに示されている様に、構成（ＩＩ）では、ユニット本体５０１は針５０６と共に、穿通点に隣接する眼の外表面に対して１０度から３０度の範囲内の中間角度で向き付けられている。この構成では、組織セパレータは、針５０６の遠位先端に対して退避位置へ拘束されていて、針ルーメン内にすっぽり隠れている。
【０１２８】
１５Ｃに示されている様に、構成（ＩＩＩ）では、ユニット本体５０１は針５０６と共に、穿通点に隣接する眼の外表面に対して０度から１０度の範囲内の浅い注入角度で向き付けられている（図１２Ｋに示されているのと同様）。この構成では、組織セパレータ５０４は針５０６内を自由に滑動することができる。
【０１２９】
遠位側外引き出し５０８はユニット本体５０１の外側腕部５１０と共にピボット接続により器官ドッキング部材５１１へ接続しており、それにより、器官ドッキング部材５１１の遠位端に設けられていて標的器官（例えば眼球）の外表面によって課される形状に合う又はなじむように構成されている器官接触面５１２に対する針５０６の角度配向の範囲が実現しやすくなっている。器官ドッキング部材５１１は、機能及び構造が器官ドッキングデバイス２００と同様であり、標的組織部分への針５０６の穿通に先立って標的組織部分を固着させるためのアンカー５１３と、針方向決め面５１４であって、その上に外側腕部５１０が載り針５０６が遠位方向に器官接触面５１２に向かって進行するときの器官接触面５１２を横断する既定の針穿通経路を実現しやすくするように構成された針方向決め面５１４と、を更に含んでいる。
【０１３０】
器官ドッキング部材５１１は、更に、外側腕部５１０の、針方向決め面５１４に対して遠い位置（例えば図１５Ｃの構成（Ｉ）に示す）から針方向決め面５１４に対して近い位置（例えば図１５Ｃの構成（ＩＩ）に示す）までの回転中の、針５０６に対する組織セパレータ５０４の直線的動きを有効にするように構成された湾曲軌道面５１５を含んでいる。近位側内引き出し５０９は、外側腕部５１０の遠い位置から近い位置への回転中にそれぞれの湾曲軌道面５１５上を継続的に滑動するように構成され配置された軌道従動子面１５７を個々に有する内側腕部５１６を含んでおり、よって、組織セパレータ５０４は、外側腕部５１０が中間位置（例えば図８Ａに示されている中間位置と同様）から退避位置（例えば図８Ｂに示されている最近位位置と同様）へ動く間は退避されるようになっている。針５１０に対する組織セパレータ５０４のこの動きは、ユニット本体５１０の回転中のきわめて短い移動距離（例えば、１ｍｍ又はそれ未満、随意的には０．５ｍｍ）に沿った精密なシフトを有効にし、ユーザーがこの細心の注意を要する操縦時のプロセスの他の態様に集中できるようにするので、好都合であると考えられる。
【０１３１】
文法上の単数形で書かれている以下の用語、即ち原文の冠詞の対訳である「或る」及び「当該」のそれぞれは、本明細書での使用に際し、「少なくとも１つ」又は「１つ又はそれ以上」を意味する。本明細書で「１つ又はそれ以上」という語句が使用されたからといって、「或る」又は「当該」のこの意図される意味が変わるわけではない。したがって、本明細書での使用に際し「或る」又は「当該」は更に、本明細書に別途明確に定義又は表明されていない限り或いは文脈が明白にそうでないと指示していない限り、複数個の表示実在物又は対象を指し及び網羅し得る。例えば、「或るユニット」、「或るデバイス」、「或る組立体」、「或る機構」、「或る構成要素」、「或る要素」、及び「或る工程又は手続き」という語句は、本明細書での使用に際し、同じく、複数のユニット、複数のデバイス、複数の組立体、複数の機構、複数の構成要素、複数の要素、及び複数の工程又は手続きをそれぞれ指し及び網羅し得る。
【０１３２】
次の用語、即ち、「含む」、「含んでいる」、「有する」、「有している」、「備える」、及び「備えている」並びにそれらの言語学上／文法上の変化形、派生語、及び／又は活用形は、本明細書での使用に際し、「○○を含み、但し○○に限定されない」を意味し、表示された（単数又は複数の）構成要素、（単数又は複数の）特徴、（単数又は複数の）特性、（単数又は複数の）パラメータ、（単数又は複数の）整数、又は（単数又は複数の）工程を特定し、尚且つ、１つ又はそれ以上の追加的な構成要素、特徴、特性、パラメータ、整数、工程、又はそれらの群の追加を排除しないと捉えられるべきである。これらの用語のそれぞれは意味的には「本質的に○○から成る」という語句と同等であると考えられる。
【０１３３】
「方法」という用語は、本明細書での使用に際し、所与のタスクを達成するための工程、手続き、やり方、手段、及び／又は技法を指し、開示されている発明の（単数又は複数の）関連分野の実践者に既知であるか又はその様な実践者によって既知の工程、手続き、やり方、手段、及び／又は技法から容易に開発される工程、手続き、やり方、手段、及び／又は技法を含むが、それらに限定されない。
【０１３４】
この開示全体を通して、パラメータ、特徴、特性、対象、又は寸法の数的値は、数的範囲形式の観点で表記され又は記述され得る。その様な数的範囲形式は、本明細書での使用に際し、発明の幾つかの例示としての実施形態の実施形を例示しているのであり、発明の例示としての実施形態の範囲を頑なに限定するものではない。したがって、表記又は記述された数的範囲は、更に、当該の表記又は記述された数的範囲内の全ての考えられ得る部分範囲及び個々の数値を指し及び網羅する（ここに、数値は、自然数、整数、又は分数として表され得る）。例えば、「１から６」という表記又は記述された数的範囲は、同じく、「１から６」という表記又は記述された数的範囲内の、例えば「１から３」、「１から４」、「１から５」、「２から４」、「２から６」、「３から６」などの様な全ての考えられる部分範囲、及び例えば「１」、「１．３」、「２」、「２．８」、「３」、「３．５」、「４」、「４．６」、「５」、「５．２」、「６」などの様な全ての考えられ得る個々の数値を指し及び網羅する。これは、表記又は記述された数的範囲の数的な幅、広がり、又は大きさに関係なく適用される。
【０１３５】
また、数的範囲の表記又は記述について、「約第１数値と約第２数値の間の範囲の」という語句は、「約第１数値から約第２数値の範囲の」と同等である及び同じ意味であると考えられ、ゆえにそれら２つの意味の等しい語句は入れ替え可能に使用され得る。例えば、室温の数的範囲の表記又は記述について、「室温は約２０℃と約２５℃の間の範囲の温度をいう」という語句は、「室温は約２０℃から約２５℃の範囲の温度をいう」という語句と同等である及び同じ意味であると考えられる。
【０１３６】
「約」という用語は、本明細書での使用に際し、表記された数値の±１０％をいう。
【０１３７】
十分に理解されるべきこととして、発明の態様、特性、及び特徴で、分かりやすくするために複数の別々の実施形態の文脈で又は形式で例示的に記述され及び提示されている一部の態様、特性、及び特徴は、単一の実施形態の文脈又は形式で何れかの適切な組合せ又は部分的組合せとして例示的に記述及び提示されることもできる。反対に、発明の態様、特性、及び特徴で、単一の実施形態の文脈又は形式で組合せ又は部分的組合せとして例示的に記述され及び提示されている様々な態様、特性、及び特徴は、複数の別々の実施形態の文脈又は形式で例示的に記述され及び提示されることもできる。
【０１３８】
発明は特定の例示としての実施形態又はその実例として例示的に記述され及び提示されているが、それの多くの代替型、修正型、及び／又は変形型が当業者には自明であろう、ということは明白である。したがって、全てのその様な代替型、修正型、及び／又は変形型は、付随の特許請求の範囲の広範な範囲の主旨のうちに入り、特許請求の範囲の広範な範囲によって網羅されるものとする。
【０１３９】
この開示の中で引用され又は参照されている全ての公開、特許、及び／又は特許出願は、各個々の公開、特許、及び／又は特許出願が、特定的かつ個別的に、参考文献としてここに援用されると示されているのとまるで同じ程度に、ここにそっくりそのまま参考文献として本明細書に援用される。加えて、この明細書中の何れかの参考文献の引用又は識別は、その様な参考文献が本発明の先行技術を代表する又は先行技術に相当することの是認と解釈されることも理解されることもあってはならない。項目名が使用される限りにおいて、項目名は必ずしも限定を課すものと解釈されてはならない。
【符号の説明】
【０１４０】
１０  キット
１１  システム
１２  シリンジ
１３  ピストン
１４  バレル
１５  シリンジコネクタ
１００  器官作用デバイス
１０１  アクチュエータ
１０２  スイッチ
１０３  組織セパレータ
１０４  シール付きコネクタ部材
１０５  針
１０６  セパレータハブ
１０７  カニューレ
１０８  プローブ
１０９  プローブ固定部分
１１０  内側のカニューレ壁
１１１  プローブ突出部分
１１２  カニューレ遠位端
１１３  セパレータ遠位先端
１１４  ルアー接続
１１５  スイッチアーム
１１６  スイッチボタン
１１７  スイッチピボット接続
１１８  セパレータポート
１１９  針コネクタ
１２０  シール
１２１  針ハブ
１２２  針シャフト
１２３  外部ストッパ
１２４  針ルーメン
１２５  針近位端
１２６  針遠位端
１２７  サイズ遷移部分
１２８  針遠位先端
１２９  ストッパ遠位端
１３０  整列要素
１３１  側方非被覆区分
１３２  インプラント
１３３  インプラントコネクタ
２００  器官ドッキングデバイス
２０１  器官ドッキングデバイス本体
２０２  器官接触面
２０３  針方向決め面
２０４  針穿通経路
２０５  定着部材
２０６  定着用アクチュエータ
２０７  アンカー
２０８  アンカー遠位先端
２０９  基部面
２１０  定着部材脚部
２１１  細長い陥凹
２１２  開口部
２１３  反対側周辺点
２１４  組織押圧部材
２１５  アンカーサイズ遷移部分
２１６  レストリクター
２１７  レストリクター先端
２１８  定着用トリガ
２１９  トリガアーム
２２０  トリガピボット接続
２２１  トリガロック
２２２  磁石
３００  器官ドッキングデバイス
３０１  眼ドッキング要素
３０２  第１ポート
３０３  第２ポート
３０４  内表面
４００  器官作用デバイス
４０１  針
４０２  組織セパレータ
４０３  外管
４０４  フック
５００  システムユニット
５０１  ユニット本体
５０２  細長いチャネル
５０３  カニューレ
５０４  組織セパレータ
５０５  プローブ
５０６  針
５０７  格納式引き出し機構
５０８  遠位側外引き出し
５０９  近位側内引き出し
５１０  外側腕部
５１１  器官ドッキング部材
５１２  器官接触面
５１３  アンカー
５１４  針方向決め面
５１５  湾曲軌道面
５１６  内側腕部
５１７  軌道従動子面
Ｌ１  第１の既定長さ
Ｌ２  第２の既定長さ
Ｌ３  第３の既定長さ
ＳＰ  強膜部分
ＣＲ  脈絡膜
ＣＪ  結膜
ＰＳＧ  通路
【図１Ａ】
2021522035.tif 000003
【図１Ｂ】
2021522035.tif 000004
【図１Ｃ】
2021522035.tif 000005
【図２Ａ】
2021522035.tif 000006
【図２Ｂ】
2021522035.tif 000007
【図３】
2021522035.tif 000008
【図４】
2021522035.tif 000009
【図５Ａ】
2021522035.tif 000010
【図５Ｂ】
2021522035.tif 000011
【図６Ａ】
2021522035.tif 000012
【図６Ｂ】
2021522035.tif 000013
【図７】
2021522035.tif 000014
【図８Ａ】
2021522035.tif 000015
【図８Ｂ】
2021522035.tif 000016
【図８Ｃ】
2021522035.tif 000017
【図８Ｄ】
2021522035.tif 000018
【図９Ａ】
2021522035.tif 000019
【図９Ｂ】
2021522035.tif 000020
【図１０Ａ】
2021522035.tif 000021
【図１０Ｂ】
2021522035.tif 000022
【図１１Ａ】
2021522035.tif 000023
【図１１Ｂ】
2021522035.tif 000024
【図１２Ａ】
2021522035.tif 000025
【図１２Ｂ】
2021522035.tif 000026
【図１２Ｃ】
2021522035.tif 000027
【図１２Ｄ】
2021522035.tif 000028
【図１２Ｅ】
2021522035.tif 000029
【図１２Ｆ】
2021522035.tif 000030
【図１２Ｇ】
2021522035.tif 000031
【図１２Ｈ】
2021522035.tif 000032
【図１２Ｉ】
2021522035.tif 000033
【図１２Ｊ】
2021522035.tif 000034
【図１２Ｋ】
2021522035.tif 000035
【図１２Ｌ】
2021522035.tif 000036
【図１２Ｍ】
2021522035.tif 000037
【図１２Ｎ】
2021522035.tif 000038
【図１２Ｏ】
2021522035.tif 000039
【図１３Ａ】
2021522035.tif 000040
【図１３Ｂ】
2021522035.tif 000041
【図１４Ａ】
2021522035.tif 000042
【図１４Ｂ】
2021522035.tif 000043
【図１５Ａ】
2021522035.tif 000044
【図１５Ｂ】
2021522035.tif 000045
【図１５Ｃ】
2021522035.tif 000046
【国際調査報告】
2021522035.tif 000047
2021522035.tif 000048
2021522035.tif 000049
2021522035.tif 000050
2021522035.tif 000051